(57)【要約】【課題】商品案内部材を着脱するスペースが制限される場合においても、商品案内部材を容易に着脱することのできる自動販売機の商品収納装置を提供する。【解決手段】商品案内部材１６を投入口通路の幅方向に分割された第１及び第２の商品案内板１６ａ，１６ｂから構成し、第１及び第２の商品案内板１６ａ，１６ｂを投入口通路内に着脱自在に構成したので、商品案内部材１６を着脱するスペースが制限される場合においても、第１及び第２の商品案内板１６ａ，１６ｂをそれぞれ着脱させることができ、商品収納装置のメンテナンス等を行う場合に極めて有利である。また、第１及び第２の商品案内板１６ａ，１６ｂの互いに隣り合う端部に着脱自在に係合する係合片１６ｄ及び係合孔１６ｆを設けたので、第１及び第２の商品案内板１６ａ，１６ｂ同士を容易に一体化することができ、商品案内部材１６を確実に取付けることができる。【選択図】図３
2006011934.tif 000002
【特許請求の範囲】
【請求項１】
商品投入口から後方に下り傾斜で延びる投入口通路と、投入口通路の下面を形成する商品案内部材と、投入口通路の後端から下方に延びる商品通路とを備え、商品投入口から投入された商品を商品案内部材によって投入口通路の後方に案内し、商品通路内に商品を収納するようにした自動販売機の商品収納装置において、
前記商品案内部材を投入口通路の幅方向に分割された複数の商品案内板から形成し、
各商品案内板を投入口通路内にそれぞれ着脱自在に取付けた
ことを特徴とする自動販売機の商品収納装置。
【請求項２】
前記各商品案内板の互いに幅方向に隣り合う端部に着脱自在に係合する係合部を設けた
ことを特徴とする請求項１記載の自動販売機の商品収納装置。
【請求項３】
前記各商品案内板の係合部を幅方向に隣り合う商品案内板の上面が面一となるように形成した
ことを特徴とする請求項２記載の自動販売機の商品収納装置。
【請求項４】
商品投入口から後方に下り傾斜で延びる投入口通路と、投入口通路の下面を形成する商品案内部材と、投入口通路の後端から下方に延びる商品通路とを備え、商品投入口から投入された商品を商品案内部材によって投入口通路の後方に案内し、商品通路内に商品を収納するようにした自動販売機の商品収納装置において、
前記商品案内部材を投入口通路の幅方向に分割された複数の商品案内板から形成し、
各商品案内板の互いに幅方向に隣り合う端部を回動自在に連結した
ことを特徴とする自動販売機の商品収納装置。
【発明の詳細な説明】
【技術分野】
【０００１】
本発明は、缶、ビンまたはペットボトル入り飲料等の商品を販売する自動販売機の商品収納装置に関するものである。
【背景技術】
【０００２】
従来、この種の自動販売機の商品収納装置としては、商品投入口から後方に下り傾斜で延びる投入口通路と、投入口通路の下面を形成する商品案内部材と、投入口通路の後端から下方に延びる商品コラムとを備え、商品投入口から投入された商品を商品案内部材によって投入口通路の後方に案内し、商品コラム内に商品を収納するようにしたものが知られている（例えば、特許文献１参照）。
【特許文献１】特開２００１−３０７２１１号公報
【発明の開示】
【発明が解決しようとする課題】
【０００３】
ところで、従来の自動販売機の商品収納装置においては、前後方向に配置された商品コラムに亘って商品案内部材が一部品で形成されているため、メンテナンスにより商品コラムを自動販売機本体の商品収納庫から着脱する際には、商品案内部材を商品収納コラムから取外すことが必要となる。しかしながら、自動販売機本体の前面を開閉する外扉は自動販売機本体の幅方向一端側に連結されているため、自動販売機本体の幅方向一端側に位置する商品案内部材を取外す際には、外扉をほぼ１８０°まで開放しなければ商品案内部材を取外すことができない。このため、自動販売機の設置状態や自動販売機の仕様等により外扉の開放角度が制限される場合には、商品収納庫の前方に商品案内部材を取外すためのスペースを確保することができず、商品案内部材を商品収納コラムから取外すことができないという問題点があった。
【０００４】
本発明は前記問題点に鑑みてなされたものであり、その目的とするところは、商品案内部材を着脱するスペースが制限される場合においても、商品案内部材を容易に着脱することのできる自動販売機の商品収納装置を提供することにある。
【課題を解決するための手段】
【０００５】
本発明は前記目的を達成するために、商品投入口から後方に下り傾斜で延びる投入口通路と、投入口通路の下面を形成する商品案内部材と、投入口通路の後端から下方に延びる商品通路とを備え、商品投入口から投入された商品を商品案内部材によって投入口通路の後方に案内し、商品通路内に商品を収納するようにした自動販売機の商品収納装置において、前記商品案内部材を投入口通路の幅方向に分割された複数の商品案内板から形成し、各商品案内板を投入口通路内にそれぞれ着脱自在に取付けている。
【０００６】
これにより、商品案内部材が各商品案内板ごとにそれぞれ着脱されることから、商品案内部材を着脱するスペースが制限される場合においても、商品案内板を幅方向に移動することにより、商品案内部材が容易に着脱される。
【０００７】
また、商品投入口から後方に下り傾斜で延びる投入口通路と、投入口通路の下面を形成する商品案内部材と、投入口通路の後端から下方に延びる商品通路とを備え、商品投入口から投入された商品を商品案内部材によって投入口通路の後方に案内し、商品通路内に商品を収納するようにした自動販売機の商品収納装置において、前記商品案内部材を投入口通路の幅方向に分割された複数の商品案内板から形成し、各商品案内板の互いに幅方向に隣り合う端部を回動自在に連結している。
【０００８】
これにより、商品案内部材を着脱するスペースが制限される場合においても、商品案内板を回動して商品案内部材の幅寸法を小さくすることにより、商品案内板を商品案内部材が容易に着脱される。
【発明の効果】
【０００９】
本発明によれば、商品案内部材を着脱するスペースが制限される場合においても、商品案内部材を容易に着脱することができるので、商品収納装置のメンテナンス等を行う場合に極めて有利である。
【発明を実施するための最良の形態】
【００１０】
図１乃至図９は本発明の一実施形態を示すもので、図１は本発明の商品収納装置を備えた自動販売機の側面断面図、図２は外扉及び内扉を開放した状態を示す自動販売機の斜視図、図３はその要部斜視図、図４は商品案内部材の斜視図、図５は商品案内部材の分解斜視図、図６及び図７は第１及び第２の商品案内板の係合部を示す要部斜視図、図８は商品案内部材の正面断面図、図９は商品案内部材の側面断面図である。
【００１１】
この商品収納装置を備えた自動販売機は、前面を開口した自動販売機本体１と、自動販売機本体１の幅方向一端側に回動自在に支持され、自動販売機本体１の前面を開閉する外扉２と、自動販売機本体１内に設けられた商品収納庫３と、商品収納庫３の前面を開閉する内扉４とからなり、商品収納庫３内には前後方向及び幅方向に複数の商品収納装置１０が設置されている。
【００１２】
各商品収納装置１０は、自動販売機本体１の幅方向に対向する一対の側板１１と、各側板１１間に前後方向に対向して取付けられた複数の円弧板１２とを備え、各円弧板１２の間には上下方向に延びる蛇行状の商品通路１３が形成されている。また、商品通路１３の上方には後方に向かって延びる投入口通路１４が形成されている。投入口通路１４の一端側には商品収納庫３の前面側を開口することにより商品投入口１５が設けられ、その他端側は商品通路１３の上端側に連通している。投入口通路１４内には商品を商品投入口１５から商品通路１３まで案内する商品案内部材１６が設けられ、商品案内部材１６は商品投入口１５から商品通路１３の上端に亘って下り傾斜をなすように形成されている。また、商品通路１３の下端側には周知の商品搬出機構１７が設けられている。
【００１３】
商品案内部材１６は、投入口通路１４内の幅方向に分割された第１及び第２の商品案内板１６ａ，１６ｂと、投入口通路１５内を幅方向に仕切る規制板１６ｃとを備えている。
【００１４】
第１の商品案内板１６ａは投入口通路１４の幅方向一端側に位置し、第１の商品案内板１６ａの第２の商品案内板１６ｂ側の端部の底面側には後方に延びる複数の係合片１６ｄが設けられている。
【００１５】
第２の商品案内板１６ｂは投入口通路１４の幅方向他端側に位置し、第２の商品案内板１６ｂの第１の商品案内板１６ａ側の端部は第１の商品案内板１６ａの第２の商品案内板１６ｂ側の端部が上方から重なるとともに、第１及び第２の商品案内板１６ａ，１６ｂの上面が面一となるように前後方向に亘って屈曲部１６ｅが設けられている。また、屈曲部１６ｅには係合片１６ｄを挿入するとともに、第１の商品案内板１６ａを後方へ移動させることにより係合する係合孔１６ｆが設けられ、第１及び第２の商品案内板１６ａ，１６ｂが連結するようになっている。また、第２の商品案内板１６ｂの前端側及び後端側にはそれぞれ幅方向に間隔をおいて複数の係合孔１６ｇが設けられ、規制板１６ｃの後述する係合片が幅方向任意の係合孔１６ｇに係合するようになっている。更に、第２の商品案内板１６ｂの前端側には規制板１６ｃを操作するための操作孔１６ｈが幅方向に延びるように設けられている。
【００１６】
また、第１及び第２の商品案内板１６ａ，１６ｂのそれぞれの底面前端側及び底面後端側には後方に延びる固定部１６ｉが設けられ、各側板１１間に幅方向に延びるように設けられた第１及び第２の商品案内板１６ａ，１６ｂを支持する棒状の支持部材１６ｊに着脱自在に係合するようになっている。
【００１７】
規制板１６ｃは、板状部材を断面Ｌ字状に屈曲することにより設けられ、底面前端側が第１及び第２の商品案内板１６ａ，１６ｂの前端側に回動自在に支持されている。また、規制板１６ｃの底面前端側及び底面後端側には下方に延びる係合片１６ｋが設けられ、各係合片１６ｋを第２の商品案内板１６ｂの前端側及び後端側の幅方向に複数設けられた係合孔１６ｇから選択して係合させることにより投入口通路１４を所定の間隔に規制するようになっている。
【００１８】
以上のように構成された自動販売機の商品収納装置において、各商品収納装置１０内に商品を収納する場合には、第２の商品案内板１６ｂの下方から操作孔１６ｈを介して規制板１６ｃの後端側を上方に持ち上げて係合孔１６ｇと係合片１６ｋとの係合を解除し、規制板１６ｃを商品の全長に合わせて幅方向に移動させて所定の係合孔１６ｇと係合片１６ｋを係合させる。そして、商品を商品投入口１５から投入することにより、商品収納装置１０内に商品が投入される。
【００１９】
また、商品収納装置１０のメンテナンスを行う場合には、商品収納装置１０を自動販売機本体１から取外すために、前後方向に配置されている商品収納装置１０の上方に亘って設けられた商品案内部材１６を取外す必要がある。その際、例えば自動販売機の仕様によって外扉２の開放角度が所定の角度に制限される場合、または自動販売機の側方に壁等の障害物がある場合など、外扉２の開放が制限されるときに外扉２の回動軸側に位置する商品収納装置１０から商品案内部材１６を取外す場合には、まず、第１の商品案内板１６ａを第２の商品案内板１６ｂから分離して、第２の商品案内板１６ｂを前方に移動させることにより支持部材１６ｊから第１の商品案内板１６ａのみを取外すことができる。そして、第２の商品案内板１６ｂを第１の商品案内板１６ａ側にスライドさせて、第２の商品案内板１６ｂを前方に移動させることにより支持部材１６ｊから第２の商品案内部材１６ｂ及び規制板１６ｃを取外すことができる。
【００２０】
このように、本実施形態の自動販売機の商品収納装置によれば、商品案内部材１６を投入口通路１４の幅方向に分割された第１及び第２の商品案内板１６ａ，１６ｂから構成し、第１及び第２の商品案内板１６ａ，１６ｂを投入口通路１４内に着脱自在に構成したので、商品案内部材１６を着脱するスペースが制限される場合においても、第１及び第２の商品案内板１６ａ，１６ｂをそれぞれ着脱させることができ、商品収納装置１０のメンテナンス等を行う場合に極めて有利である。
【００２１】
また、第１及び第２の商品案内板１６ａ，１６ｂの互いに隣り合う端部に着脱自在に係合する係合片１６ｄ及び係合孔１６ｆを設けたので、第１及び第２の商品案内板１６ａ，１６ｂ同士を容易に一体化することができ、商品案内部材１６を確実に取付けることができる。
【００２２】
また、第１の商品案内板１６ａの係合片１６ｄと第２の商品案内板１６ｂの係合孔１６ｆとを係合させたときに、第１及び第２の商品案内板１６ａ，１６ｂの上面が面一となるように第２の商品案内板１６ｂの屈曲部１６ｅを形成したので、商品案内部材１６の上面の隙間及び段差を最小限にすることができ、商品を収納する際の商品の詰まり等の不具合を減少させることができる。
【００２３】
尚、前記実施形態では、商品案内部材１６を投入口通路１４の幅方向に分割された第１及び第２の商品案内板１６ａ，１６ｂから構成し、第１及び第２の商品案内板１６ａ，１６ｂごとに投入口通路１４内に着脱可能に構成したものを示したが、図１１及び図１２に示すように、商品案内部材１８を第１及び第２の商品案内板１８ａ，１８ｂから構成し、第１及び第２の商品案内板１８ａ、１８ｂの互いに隣り合う端部同士を回動自在に連結するようにしてもよい。この場合、第１の商品案内板１８ａを第２の商品案内板１８ｂ側に回動させて第２の商品案内板１８ｂを第１の商品案内板１８ａ側にスライドさせ、第１の商品案内板１８ａと共に第２の商品案内板１８ｂを前方に移動させることにより、商品収納装置１０から商品案内部材１８を取外すことができる。これにより、商品案内部材１８を着脱するスペースが制限される場合においても、商品案内部材１８を一体化した状態で商品収納装置１０から容易に着脱することができるとともに、部品点数を削減することができる。
【図面の簡単な説明】
【００２４】
【図１】本発明の一実施形態を示す商品収納装置を備えた自動販売機の側面断面図
【図２】外扉及び内扉を開放した状態を示す自動販売機の斜視図
【図３】自動販売機の要部斜視図、
【図４】商品案内部材の斜視図
【図５】商品案内部材の分解斜視図
【図６】第１及び第２の商品案内板の係合部を示す要部斜視図
【図７】第１及び第２の商品案内板の係合部を示す要部斜視図
【図８】商品案内部材の正面断面図
【図９】商品案内部材の側面断面図
【図１０】その他の実施例を示す商品案内部材の斜視図
【図１１】その他の実施例を示す商品案内部材の斜視図
【符号の説明】
【００２５】
１０…商品収納装置、１３…商品通路、１４…投入口通路、１５…商品投入口、１６…商品案内部材、１６ａ…第１の商品案内板、１６ｂ…第２の商品案内板、１６ｄ…係合片、１６ｅ…屈曲部、１６ｆ…係合孔。
【図１】
2006011934.tif 000003
【図２】
2006011934.tif 000004
【図３】
2006011934.tif 000005
【図４】
2006011934.tif 000006
【図５】
2006011934.tif 000007
【図６】
2006011934.tif 000008
【図７】
2006011934.tif 000009
【図８】
2006011934.tif 000010
【図９】
2006011934.tif 000011
【図１０】
2006011934.tif 000012
【図１１】
2006011934.tif 000013